(57)【要約】【課題】ユーザにリサイクルに対するインセンティブを与え、リサイクルを促進することができる使用済み携帯端末機器のリサイクルシステム及びリサイクル方法並びに回収した金属材料を用いて製作した再生加工品の提供。【解決手段】ユーザ２から使用済み携帯端末機器５を回収する営業拠点３と、使用済み携帯端末機器５を分別・解体する解体拠点４ａ、使用済み携帯端末機器５から金、銀、銅、白金、パラジウム等の金属材料を回収する金属材料回収拠点４ｂ、回収した金属材料を用いて利用価値の高い再生加工品６を製作する加工拠点４ｃからなるリサイクル拠点４とを備え、製作した再生加工品６を使用済み携帯端末機器５を提供したユーザ２に提供してリサイクルで生じる利益を還元することにより、リサイクルに対する意識を高めてリサイクルを促進し、これにより循環型社会の構築に貢献する。【選択図】図１
2004341681.tif 000002
【特許請求の範囲】
【請求項１】
使用済み携帯端末機器を回収する営業拠点と、該営業拠点から受け取った前記使用済み携帯端末機器を分別・解体する解体拠点と、分別・解体した前記使用済み携帯端末機器から所定の金属材料を回収する金属材料回収拠点と、回収した前記金属材料を含む再生加工品を製作する加工拠点とを少なくとも備え、
前記再生加工品が、使用済み携帯端末機器の回収を依頼したユーザに提供されることを特徴とするリサイクルシステム。
【請求項２】
前記ユーザは、前記再生加工品に含まれる前記金属材料が回収された前記使用済み携帯端末機器の所有者、又は、前記営業拠点に回収された他の使用済み携帯端末機器の所有者のいずれかであることを特徴とする請求項１記載のリサイクルシステム。
【請求項３】
更に、回収した前記金属材料を用いて、前記加工拠点で使用される加工用の原料を製造する原料製造拠点を備え、前記加工拠点では、前記原料を用いて前記再生加工品が製作されることを特徴とする請求項１又は２に記載のリサイクルシステム。
【請求項４】
前記拠点のいずれか２以上が通信ネットワークを介して相互に接続され、前記使用済み携帯端末機器の処理状態を示す情報が互いに通知されることを特徴とする請求項１乃至３のいずれか一に記載のリサイクルシステム。
【請求項５】
前記通信ネットワークを介して、前記使用済み携帯端末機器の処理状態を示す情報を管理する管理サーバが接続され、前記管理サーバに、前記情報を受信する手段と、該情報を基にメッセージを作成する手段と、該メッセージを含む電子メールを前記使用済み携帯端末機器の所有者に送信する手段とを備えることを特徴とする請求項４記載のリサイクルシステム。
【請求項６】
前記金属材料は、金、銀、銅、白金、パラジウムのいずれかを含むことを特徴とする請求項１乃至５のいずれか一に記載のリサイクルシステム。
【請求項７】
前記再生加工品は栞であり、前記栞の表面に、前記金属材料を含むメッキ被膜が形成されていることを特徴とする請求項１乃至６のいずれか一に記載のリサイクルシステム。
【請求項８】
使用済み携帯端末機器の所有者に提供される再生加工品であって、
前記使用済み携帯端末機器から回収された所定の金属材料を含むことを特徴とする再生加工品。
【請求項９】
前記金属材料は、金、銀、銅、白金、パラジウムのいずれかを含むことを特徴とする請求項８記載の再生加工品。
【請求項１０】
前記再生加工品は栞であり、前記栞の表面に、前記金属材料を含むメッキ被膜が形成されていることを特徴とする請求項８又は９に記載の再生加工品。
【請求項１１】
前記再生加工品に、前記使用済み携帯端末機器の所有者に関連する情報が明示されていることを特徴とする請求項８乃至１０のいずれか一に記載の再生加工品。
【請求項１２】
使用済み携帯端末機器のリサイクル方法であって、
前記使用済み携帯端末機器を回収するステップと、
前記使用済み携帯端末機器を分別・解体するステップと、
分別・解体した前記使用済み携帯端末機器から所定の金属材料を回収するステップと、
回収した前記金属材料を含む再生加工品を製作するステップと、を少なくとも備え、
製作した前記再生加工品を、使用済み携帯端末機器の回収を依頼したユーザに提供することを特徴とするリサイクル方法。
【請求項１３】
前記ユーザは、前記再生加工品に含まれる前記金属材料が回収された前記使用済み携帯端末機器の所有者、又は、回収された他の使用済み携帯端末機器の所有者のいずれかであることを特徴とする請求項１２記載のリサイクル方法。
【請求項１４】
前記金属材料を回収するステップの後に、前記金属材料を用いて加工用の原料を製造するステップを備え、
前記前記原料を用いて前記再生加工品を製作することを特徴とする請求項１２又は１３に記載のリサイクル方法。
【請求項１５】
前記ステップを行う拠点のいずれか２以上を通信ネットワークを介して相互に接続し、前記使用済み携帯端末機器の処理状態を示す情報を互いに通知することを特徴とする請求項１２乃至１４のいずれか一に記載のリサイクル方法。
【請求項１６】
前記通信ネットワークを介して、前記使用済み携帯端末機器の処理状態を示す情報を管理する管理サーバを接続し、前記管理サーバは、前記情報を受信し、該情報を基にメッセージを作成し、該メッセージを含む電子メールを前記使用済み携帯端末機器の所有者に送信することを特徴とする請求項１５記載のリサイクル方法。
【請求項１７】
前記金属材料は、金、銀、銅、白金、パラジウムのいずれかを含むことを特徴とする請求項１２乃至１６のいずれか一に記載のリサイクル方法。
【請求項１８】
前記再生加工品は栞であり、前記栞の表面に、前記金属材料を含むメッキ被膜を形成することを特徴とする請求項１２乃至１７のいずれか一に記載のリサイクル方法。
【発明の詳細な説明】
【０００１】
【発明の属する技術分野】
本発明は、電子機器のリサイクルシステム及びリサイクル方法に関し、特に、携帯端末機器から回収した金属材料を利用する使用済み携帯端末機器のリサイクルシステム及びリサイクル方法並びに回収した金属材料を用いて製作した再生加工品に関する。
【０００２】
【従来の技術】
近年、携帯電話やＰＨＳなどの携帯端末機器が広く普及しており、カメラ機能やムービー機能、赤外線通信機能などの新しい機能が付加された機種が次々に販売され、頻繁に買い換えが行われている。携帯端末機器を買い換える場合、使用済みの携帯端末機器は不要となるが、使用済みの携帯端末機器の中にはリサイクル・リユースが可能な様々な材料、特に貴金属などの金属材料が多く含まれているため、これらを有効に活用することが求められている。
【０００３】
この買い換えにおける問題は一般的な電子機器でも同様に生じ、電子機器を製造・販売する業者には、廃棄物の削減、資源の有効利用などの循環型社会構築への貢献やＩＳＯ１４００１への対応が求められる。このような背景から、電子機器のリサイクルに関して多数の提案がなされており、例えば、特開２００３−２４９２５号公報には、電子機器に組み込まれた基板をリサイクルするシステム及び電子機器分解装置が開示されている。
【０００４】
【特許文献１】
特開２００３−２４９２５号公報（第３−６頁、第１図）
【０００５】
【発明が解決しようとする課題】
電子機器の中で普及率が高く、買い換えのサイクルが短い携帯端末機器は特にリサイクルを促進する必要があるが、携帯端末機器は他の電子機器とは異なる特質を有するため、リサイクルの促進が図りにくいという問題がある。
【０００６】
例えば、テレビのような大きな電子機器の場合は、使用済みの電子機器をそのまま保管すると場所を占有してしまうことから、ユーザは自発的にリサイクル業者に回収を依頼する場合が多いが、サイズが小さい携帯端末機器の場合は、使用済みの携帯端末機器を保管しても場所を占有しないことから回収されることなく保管されたまま放置される場合も多く、一般の廃棄物といっしょに廃棄されてしまう場合もある。
【０００７】
また、テレビのように内部に記憶手段を備えていない電子機器の場合は、リサイクル業者に渡してもユーザが不利益を被ることはないが、携帯端末機器のように内部に記憶手段を備える電子機器の場合は、個人情報や秘匿したい情報等が記憶されているため、リサイクルの前に情報を消去しなければならず、このような作業が繁雑であることからリサイクルされずに放置されてしまう。
【０００８】
本発明は、上記問題点に鑑みてなされたものであって、その主たる目的は、ユーザにリサイクルに対するインセンティブを与え、リサイクルを促進することができる使用済み携帯端末機器のリサイクルシステム及びリサイクル方法並びに回収した金属材料を用いて製作した再生加工品を提供することにある。
【０００９】
【課題を解決するための手段】
上記目的を達成するため、本発明のリサイクルシステムは、使用済み携帯端末機器を回収する営業拠点と、該営業拠点から受け取った前記使用済み携帯端末機器を分別・解体する解体拠点と、分別・解体した前記使用済み携帯端末機器から所定の金属材料を回収する金属材料回収拠点と、回収した前記金属材料を含む再生加工品を製作する加工拠点とを少なくとも備え、前記再生加工品が、使用済み携帯端末機器の回収を依頼したユーザに提供されるものである。
【００１０】
本発明においては、前記ユーザは、前記再生加工品に含まれる前記金属材料が回収された前記使用済み携帯端末機器の所有者、又は、前記営業拠点に回収された他の使用済み携帯端末機器の所有者のいずれかとすることが好ましい。
【００１１】
また、本発明においては、更に、回収した前記金属材料を用いて、前記加工拠点で使用される加工用の原料を製造する原料製造拠点を備え、前記加工拠点では、前記原料を用いて前記再生加工品が製作される構成とすることができる。
【００１２】
また、本発明においては、前記拠点のいずれか２以上が通信ネットワークを介して相互に接続され、前記使用済み携帯端末機器の処理状態を示す情報が互いに通知される構成、又は、前記通信ネットワークを介して、前記使用済み携帯端末機器の処理状態を示す情報を管理する管理サーバが接続され、前記管理サーバに、前記情報を受信する手段と、該情報を基にメッセージを作成する手段と、該メッセージを含む電子メールを前記使用済み携帯端末機器の所有者に送信する手段とを備える構成とすることもできる。
【００１３】
また、本発明においては、前記金属材料は、金、銀、銅、白金、パラジウムのいずれかを含むことが好ましく、前記再生加工品は栞であり、前記栞の表面に、前記金属材料を含むメッキ被膜が形成されている構成とすることもできる。
【００１４】
また、本発明の再生加工品は、使用済み携帯端末機器の所有者に提供される再生加工品であって、前記使用済み携帯端末機器から回収された所定の金属材料を含むものである。
【００１５】
また、本発明のリサイクル方法は、使用済み携帯端末機器のリサイクル方法であって、前記使用済み携帯端末機器を回収するステップと、前記使用済み携帯端末機器を分別・解体するステップと、分別・解体した前記使用済み携帯端末機器から所定の金属材料を回収するステップと、回収した前記金属材料を含む再生加工品を製作するステップと、を少なくとも備え、製作した前記再生加工品を、使用済み携帯端末機器の回収を依頼したユーザに提供するものである。
【００１６】
このように、本発明は、ユーザが提供した使用済み携帯端末機器から回収した金、銀、銅、白金、パラジウム等の金属材料を用いて利用価値の高い再生加工品を製作し、製作した再生加工品を使用済み携帯端末機器を提供したユーザに提供してリサイクルで生じる利益を還元することにより、携帯端末機器の販売業者やリサイクル業者にとっては回収率を高めることができるというメリットが生じ、ユーザにとっては利用価値の高い再生加工品を入手することができるというメリットが生じ、これにより使用済み携帯端末機器のリサイクルを促進することが可能となる。また、リサイクルで生じる利益を、金銭や値引きによって還元するのではなく、使用済み携帯端末機器から回収した金属材料を用いて製作した再生加工品を用いて還元するため、リサイクルに対する意識を高め、循環型社会の構築に貢献することができる。
【００１７】
【発明の実施の形態】
従来技術で記載したように、携帯端末機器のように普及率の高く、買い換えサイクルが短い電子機器はリサイクルを促進することが求められるが、携帯端末機器はサイズが小さく、個人情報や秘匿すべき情報が記憶されているためリサイクルを促進しにくい。一方、従来より、リサイクルを促進するシステムは存在するが、従来のリサイクルシステムは、リサイクルによって生じる利益を金銭として提供したり値引きすることによって還元するものであり、リサイクルを促進する効果はあるものの、リサイクルに対する意識を高めるものではなく、循環型社会の構築に貢献するものとは言えない。
【００１８】
そこで、本発明では、リサイクルによって生じる利益の還元を、金銭や値引きによって実現するのではなく、リサイクルされる物品から抽出した材料（特に、金、銀、銅、白金、パラジウム等の金属材料）を加工して、利用価値の高い再生加工品を製作し、その再生加工品をユーザに提供する方法によって実現している。これにより、ユーザは使用済み携帯端末機器にどのような金属材料が使用されているのか、どのようにリサイクルされるのかなどのリサイクルに関する知識を得ることができ、リサイクルに対する意識を高めることができ、循環型社会の構築に貢献することが可能となる。
【００１９】
【実施例】
上記した本発明の実施の形態についてさらに詳細に説明すべく、本発明の実施例について図面を参照して説明する。
【００２０】
［実施例１］
まず、本発明の第１の実施例に係る使用済み携帯端末機器のリサイクルシステム及びリサイクル方法並びに回収した金属材料を用いて製作した再生加工品について、図１乃至図４を参照して説明する。図１は、第１の実施例に係る使用済み携帯端末機器のリサイクルシステムの構成を模式的に示す図であり、図２は、そのリサイクル手順を示すフローチャート図である。又、図３は、使用済み携帯端末機器から回収された金属材料で製作された栞の構成例を示す図であり、図４は、リサイクルシステムの各拠点間で交換されるデータの具体例を示す図である。
【００２１】
図１に示すように、本実施例の携帯端末機器リサイクルシステム１は、携帯端末機器の買い換えを希望する複数のユーザ２と、ユーザ２から使用済み携帯端末機器５を回収し、リサイクル拠点で製作した再生加工品６をユーザ２に提供する営業拠点３と、営業拠点３から受け取った使用済み携帯端末機器５を分別・解体する解体拠点４ａ、分別・解体された使用済み携帯端末機器５から所望の金属材料を回収する金属材料回収拠点４ｂ、回収した金属材料を用いて利用価値の高い再生加工品６を製作する加工拠点４ｃを含むリサイクル拠点４とから構成される。
【００２２】
なお、図１は本実施例のリサイクルシステム１の基本構成であり、複数の営業拠点３を経由する構成としたり、使用済み携帯端末機器５を回収する拠点やリサイクルシステム１を管理する拠点などを設ける構成としてもよい。また、図１ではリサイクル拠点４を解体拠点４ａと金属材料回収拠点４ｂと加工拠点４ｃとに分類しているが、これは便宜上の分類であり、必ずしも別々の拠点とする必要はない。また、回収した金属材料から加工に適した原料（例えば、回収した金属材料が金の場合は金メッキ液）を製造する原料製造拠点を含む構成とすることもできる。
【００２３】
また、本実施例では、使用済み携帯端末機器５を持ち込んだ営業拠点３で再生加工品６を提供する構成としているが、買い換える携帯端末機器を販売する店と再生加工品６を提供する店とは同じである必要はなく、別の営業拠点３を経由してユーザ２に再生加工品６を提供したり、リサイクル拠点４からユーザ２に直接再生加工品６を提供する構成としてもよい。
【００２４】
上記構成の使用済み携帯端末機器５のリサイクルシステム１を用いて、ユーザ２が使用済み携帯端末機器５を提供してから再生加工品６を入手するまでの手順について、図２のフローチャート図を参照して説明する。
【００２５】
まず、ステップＳ１０１で、携帯端末機器の買い換えを希望するユーザ２は営業拠点３に出向き、所望の携帯端末機器を購入すると共に、使用済みの携帯端末機器５（該営業拠点３で取り扱っている携帯端末機器の他、他の系列の営業拠点で取り扱っている携帯端末機器であってもよく、また、ユーザ２が所有するものでもユーザ２以外の者が所有する携帯端末機器であってもよい。以下の説明において同じ。）を営業拠点３に提供する。なお、本実施例では、携帯端末機器を買い換える場合について説明するが、新たな携帯端末機器を購入することなく、使用済みの携帯端末機器５の提供のみを行う場合についても同様に適用することもできる。
【００２６】
次に、ステップＳ１０２で、使用済みの携帯端末機器５を受け取った営業拠点３は、使用済み携帯端末機器５のリサイクルに伴って発生する利益（利益の一部であっても全部であってもよい。以下の説明において同じ。）をユーザ２に還元するために、栞などの再生加工品６を提供する。
【００２７】
ここで、従来の一般的なリサイクルシステムは、リサイクルに伴って発生する利益を金銭として還元したり、利益に相当する金額分だけ値引きするものであり、このような方法でも使用済み携帯端末機器５のリサイクルをある程度促進することは可能であるが、この方法では、ユーザ２は使用済み携帯端末機器５がどのようにリサイクルされたかなどの情報を得ることはできず、リサイクルに対する意識を高めることはできない。
【００２８】
そこで、本実施例では、リサイクルによって生じる利益を金銭や値引きで還元するのではなく、使用済み携帯端末機器５から回収された金属材料（特に、金、銀、銅、白金、パラジウム等の貴金属材料）を用いて製作された利用価値の高い再生加工品６を提供することにより、使用済み携帯端末機器５のどのような材料がリサイクルされたのかをユーザ２に認知させ、リサイクルに対する意識を向上させるようにしている。
【００２９】
なお、使用済み携帯端末機器５を回収したユーザ２に速やかに再生加工品６を提供できるように、本実施例では、他のユーザが提供した使用済み携帯端末機器５から回収された金属材料を用いて製作された再生加工品６を予め営業拠点３にストックしておく構成とする。この再生加工品６は１種類のみとしてもよいが、複数の再生加工品６を用意しておき、その中からユーザ２が選択できる構成とすることもでき、また、使用済み携帯端末機器５の提供回数に応じて再生加工品６のサイズやデザイン、金属材料の含有量等を変える構成とすることもできる。また、使用済み携帯端末機器５を提供したユーザ２の全てに再生加工品６を提供する必要はなく、抽選で選ばれたユーザ２のみに提供する構成とすることもできる。
【００３０】
次に、ステップＳ１０３で、営業拠点３は、必要に応じて使用済み携帯端末機器５の記憶手段に記憶された情報を消去した後、所定の数量の使用済み携帯端末機器５をまとめて解体拠点４ａに送り、ステップＳ１０４で、解体拠点４ａは、使用済み携帯端末機器５を本体とバッテリーに分別する。そして、バッテリーを分離した本体のみを金属材料回収拠点４ｂへ送り、ステップＳ１０５で金属材料回収拠点４ｂは本体の部品から所望の金属材料を回収する。あるいは、解体拠点４ａは、使用済み携帯端末機器５を分別・解体し、金属含有部品（例えばプリント基板）を取り出す。そして、金属含有部品を金属材料回収拠点４ｂへ送り、ステップＳ１０５で金属材料回収拠点４ｂは部品の中から所望の金属材料を回収する。
【００３１】
上記分別・解体作業及び金属材料回収作業は使用済み携帯端末機器５から所望の金属材料を回収できる方法であればよく、その方法は特に限定されず、例えば、よう素化合物含有液により貴金属を含む回収物から貴金属を溶解抽出した後、貴金属を析出分離回収する方法や、貴金属を含むスクラップを炭素含有水蒸気と共存する状態で焼成し、これにより生じる水性ガス反応より還元する方法、プリント基板を硝酸、塩酸、硫酸等に投入して溶解し、金属溶解酸にアルカリを加えてｐＨ調整により析出する金属を濾過して回収する方法、金メッキが施された電子部品を酸に浸漬し、下地金属を酸に溶解させて金を剥離回収する方法、携帯端末機器を粗粉砕して、合成樹脂製品などの燃焼物を償却し、残渣を磁気分離して金その他の貴金属等を回収する方法等を用いることができる。なお、情報消去は販売拠点３において行なわれなくても、金属材料回収拠点４ｂにおいて確実に行なわれる。すなわち、水溶液浸漬などの、いわゆる「湿式処理法」であれば浸漬することにより、また、熔融や焼成などの、いわゆる「乾式処理法」であれば熱により、記憶部品内の回路の短絡が発生して機能破壊されてしまうためである。
【００３２】
次に、回収した金属材料を用いて再生加工品６の製作を行うが、使用済み携帯端末機器５に含有する金属材料（特に、貴金属）の量は少なく、そのままの形態では加工しにくいため、回収した金属材料を用いて加工に適した原料を製造することもできる。例えば、使用済み携帯端末機器５から回収した金を用いる場合は、ステップＳ１０６で抽出した金を化学的に溶かした金メッキ液を製造し、加工拠点４ｃに送る。なお、回収した金属材料そのものを用いて再生加工品６を製作できる場合はこの工程は不要であり、また、メッキ液以外の他の加工用原料を製造してもよい。また、加工用原料の中に含まれる金属材料は、全てがステップＳ１０５で回収された金属材料である必要はなく、少なくとも回収された金属材料を含んでいればよい。
【００３３】
次に、加工拠点４ｃは、ステップＳ１０７で、回収した金属材料又は加工用に製造された原料を用いて再生加工品６を製作する。具体的には、再生加工品６として栞を製作する場合には、鉄などを用いて栞６ａの型を作成し、ステップＳ１０６で製造した金メッキ液を用いて型の表面に所望の膜厚の金メッキを施し、図３に示すような各種形状、デザインの栞６ａを製作する。
【００３４】
ここで、再生加工品６として栞６ａを例示しているのは、このような金メッキ処理が施された栞は珍しいことから商品としての価値が高く、また、日常的に目に触れるものであり、更に、本などに挟まれて使用されるために金メッキが剥がれにくいなどの特徴があるためであるが、栞６ａに代えて金メッキ処理を施したカレンダーやキーホルダー、携帯ストラップなどの任意の物品とすることができる。また、ユーザ２に提供する再生加工品６はその全てが回収された金属材料で製作されている必要はなく、少なくともその一部に回収された金属材料を含んでいればよい。例えば、上記栞６ａの場合を例にすると、回収した金を含む金メッキ液を用いて金メッキ処理が施されていればよく、回収した金属材料をどの程度用いるかは、分解作業や金属材料回収作業、再生加工品製作に要する時間、回収される金属材料の種類、量、再生加工品６の形態等を勘案して適宜設定することができる。
【００３５】
そして、ステップＳ１０８で、加工拠点４ｃは製作した再生加工品６を営業拠点３に送り、営業拠点３は納品された再生加工品６をストックとして蓄える。
【００３６】
なお、本実施例の場合、使用済み携帯端末機器５は営業拠点３から解体拠点４ａ、金属材料回収拠点４ｂに送られ、加工拠点４ｃによって再生加工品６となって再び営業拠点３に戻るという経路をたどって順次処理が行われるため、１つの拠点の処理が滞ると他の拠点の処理に支障をきたす恐れがある。そこで、リサイクル処理をスムーズに行うために、所定のフォーマットのデータを用いて、通信ネットワークを介して拠点間でリサイクルの進捗に関する情報を交換する構成とすることもできる。
【００３７】
例えば、営業拠点３と金属材料回収拠点４ｂとの間では、図４（ａ）に示すように、リサイクル処理のロット番号、営業拠点３が使用済み携帯端末機器５を出荷した日付、使用済み携帯端末機器５の数量や種類（例えば、本体のみ又は本体に充電器やケースを付属したかなどの種別）、使用済み携帯端末機器５が金属材料回収拠点４ｂに入荷した日付、含有する金属材料の分析値や含有量、買取価格などの項目で構成されるデータ、金属材料回収拠点４ｂと加工拠点４ｃの間では、図４（ｂ）に示すように、金属材料回収拠点４ｂが回収した金属材料を出荷した日付、その数量、金属材料が加工拠点４ｃに入荷した日付、納入量などの項目で構成されるデータ、加工拠点４ｃと営業拠点３との間では、図４（ｃ）に示すように、加工拠点４ｃが製作した再生加工品６を納入した日付、納入量、再生加工品６が営業拠点３に入荷した日付、入荷量などの項目で構成されるデータを予め定めた日程で送受信することにより、処理の滞りを防止して迅速にリサイクルを実行することができる。
【００３８】
このように、本実施例の使用済み携帯端末機器５のリサイクルシステム１によれば、ユーザ２が使用済み携帯端末機器５を提供すると、使用済み携帯端末機器５から回収された金属材料を用いて製作された商品価値の高い再生加工品６が提供されるため、使用済み携帯端末機器５のリサイクルを促進することができる。また、ユーザ２は使用済み携帯端末機器５からどのような金属材料が回収されるかなどの知識を得ることができるため、単にリサイクルによって生じる利益を金銭として提供したり、その金額分だけ値引きする方法に比べて、リサイクルに対する意識を高めることができ、循環型社会の構築に貢献することができる。
【００３９】
［実施例２］
次に、本発明の第２の実施例に係る使用済み携帯端末機器のリサイクルシステム及びリサイクル方法並びに回収した金属材料を用いて製作した再生加工品について、図５及び図６を参照して説明する。図５は、第２の実施例に係る使用済み携帯端末機器のリサイクルシステムの構成を模式的に示す図であり、図６は、そのリサイクル手順を示すフローチャート図である。
【００４０】
前記した第１の実施例では、使用済み携帯端末機器５を提供したユーザ２に、営業拠点３に予めストックされた再生加工品６を提供する構成としたが、提供した使用済み携帯端末機器５そのものから回収した金属材料を用いて製作した再生加工品６を提供する構成とすることもできる。その場合、使用済み携帯端末機器５を提供してから再生加工品６を入手するまでに時間がかかるため、本実施例では、リサイクル処理の進捗状況をユーザに知らせる構成としている。
【００４１】
具体的には、本実施例の使用済み携帯端末機器５のリサイクルシステム１は、図５に示すように、携帯端末機器の買い換えを希望するユーザ２と、ユーザ２から使用済み携帯端末機器５を回収する営業拠点３と、営業拠点３から受け取った使用済み携帯端末機器５を分別・解体する解体拠点４ａ、分別・解体された使用済み携帯端末機器５から所望の金属材料を回収する金属材料回収拠点４ｂ、回収した金属材料を用いて利用価値の高い再生加工品６を製作する加工拠点４ｃを含むリサイクル拠点４と、リサイクルの進捗に関する情報などを記憶する管理サーバ７とがインターネットなどの通信ネットワーク８を介して接続されている。
【００４２】
なお、図５は本実施例のリサイクルシステム１の基本構成であり、第１の実施例と同様に、複数の営業拠点３を経由する構成としたり、使用済み携帯端末機器５を回収する拠点や回収した金属材料から加工に適した原料を製造する原料製造拠点などを設ける構成とすることもできる。また、管理サーバ７を別途設けずに、いずれかの拠点の端末を管理サーバとして機能させることもできる。
【００４３】
上記構成の使用済み携帯端末機器５のリサイクルシステム１を用いて、ユーザ２が使用済み携帯端末機器５を提供してから再生加工品６を入手するまでの手順について、図６のフローチャート図を参照して説明する。
【００４４】
まず、第１の実施例と同様に、ステップＳ２０１で、携帯端末機器の買い換えを希望するユーザ２は営業拠点３に出向き、所望の携帯端末機器を購入すると共に、使用済みの携帯端末機器５を営業拠点３に提供する。
【００４５】
次に、第１の実施例では、営業拠点３はユーザ２に再生加工品６を提供したが、本実施例では、ユーザ２が提供した使用済みの携帯端末機器５そのものから回収した金属材料を用いて再生加工品６を製作するため、ステップＳ２０２で再生加工品６に対する注文を行う。例えば、予め用意された再生加工品６のリストの中からユーザ２が所望する形状やデザインの再生加工品６を選択したり、再生加工品６の製作に用いる材料を選択したり、再生加工品６にユーザ２の名前を入れるなどの注文を行う。このように再生加工品６を注文に応じて製作することにより、再生加工品６の商品価値を高めることができる。
【００４６】
次に、ステップＳ２０３で、営業拠点３は、必要に応じて使用済み携帯端末機器５の記憶手段に記憶された情報を消去した後、使用済み携帯端末機器５を解体拠点４ａに送り、ステップＳ２０４で、解体拠点４ａは使用済み携帯端末機器５を分別・解体して部品毎に分割し、その中から再利用可能な金属材料を含む部品を分別する。そして、ステップＳ２０５で、金属材料回収拠点４ｂは、上記部品の中から所望の金属材料を回収し、必要に応じて、ステップＳ２０６で回収した金属材料を用いて加工用の原料（例えば、金メッキ液）を製造し、加工拠点４ｃに送る。なお、本実施例においても、上記分別・解体作業及び金属材料回収作業は使用済み携帯端末機器５から所望の金属材料を回収できる方法であればよく、その方法は特に限定されない。また、情報消去は金属材料回収拠点４ｂにおいて確実に行なわれるため、販売拠点３において情報消去は行なわれなくてもよい。
【００４７】
ここで、本実施例では、ユーザ２が提供した使用済みの携帯端末機器５そのものから回収した金属材料を用いて再生加工品６を製作するため、再生加工品６を提供するまでユーザ２を待たせることになる。そこで、営業拠点３や解体拠点４ａ、金属材料回収拠点４ｂでは、各々の処理の進捗状況を、例えば図４に示すようなフォーマットのデータとして管理サーバ７に送信し、管理サーバ７は、データを受信したら、予め記憶されたデータテーブルを参照して現在のリサイクルの状態を示すメッセージ（例えば、”お客様の使用済み携帯電話は解体作業中です。”とか、”お客様の使用済み携帯電話から１ｍｇの金が回収されました。”）を作成し、該メッセージが記載された電子メールをユーザ２に送信する構成とすることもできる。このようなリサイクルに関する情報をユーザ２に提供することにより、ユーザ２は自分が提供した使用済み携帯端末機器５がどのように処理され、どのような金属材料が回収されるかなどの情報を入手することができ、リサイクルに対する意識をより高めることができる。
【００４８】
次に、加工拠点４ｃは、ステップＳ２０７で、回収した金属材料又は加工用に作成した原料を用いて再生加工品６を製作する。例えば、再生加工品６として栞を製作する場合には、鉄などを用いて栞の型を作成し、ステップＳ２０６で作成した金メッキ液を用いて型の表面に所望の膜厚の金メッキを施す。その際、ステップＳ２０２でユーザ２が再生加工品６に対する注文をしている場合には、その注文に従って再生加工品６を製作する。例えば、デザインが指定されている場合は指定されたデザインで再生加工品６を製作し、ユーザ２の名前を書き込む指定がされている場合は、例えば、ユーザ２の名前をローマ字で綴った栞６ａを製作する。このような注文に応じた再生加工品６を製作することにより、再生加工品６の商品価値を高め、使用済み携帯端末機器５のリサイクルを促進することができる。なお、この工程でも進捗状況を示す情報を予め定められたフォーマットのデータとしてサーバ７に送り、サーバ７は進捗状況に対応するメッセージを記載した電子メールをユーザ２に送信する。
【００４９】
そして、ステップＳ２０８で、加工拠点４ｃは製作した再生加工品６をユーザ２に直接提供、又は、営業拠点３を介して提供する。
【００５０】
このように、本実施例の使用済み携帯端末機器５のリサイクルシステム１によれば、ユーザ２が使用済み携帯端末機器５を提供すると、その使用済み携帯端末機器５から回収された金属材料を用いて注文に応じて製作された商品価値の高い再生加工品６が提供されるため、使用済み携帯端末機器５のリサイクルを促進することができる。また、ユーザ２は使用済み携帯端末機器５のリサイクルに関する情報を入手することができるため、リサイクルに対する意識を更に高めることができ、循環型社会の構築に貢献することができる。
【００５１】
なお、第１の実施例の構成に第２の実施例の管理サーバ７を設け、リサイクルの進捗状況を監視する構成としてもよい。また、上記各実施例では、携帯端末機器のリサイクルを例にして説明したが、本発明は上記実施例に限定されるものではなく、再生加工品として利用可能な材料を含む任意の電子機器のリサイクルに適用することができる。
【００５２】
【発明の効果】
以上説明したように、本発明の使用済み携帯端末機器のリサイクルシステム及びリサイクル方法並びに回収した金属材料を用いて製作した再生加工品によれば、下記記載の効果を奏する。
【００５３】
本発明の第１の効果は、使用済み携帯端末機器のリサイクルを促進することができるということである。
【００５４】
その理由は、携帯端末機器の買い換え時に営業拠点に使用済みの携帯端末機器を持ち込むと、該使用済み携帯端末機器から貴金属等の金属材料が回収され、その金属材料を用いて製作された再生加工品がユーザに提供されるため、ユーザにリサイクルに対するインセンティブを与えることができるからである。
【００５５】
また、本発明の第２の効果は、リサイクルに対する意識を高めることができるということである。
【００５６】
その理由は、使用済み携帯端末機器を提供したユーザに対して、金銭を提供したり、値引きする方法では、リサイクルに協力しているという意識を持ちにくいが、使用済み携帯端末機器から回収された金属材料を用いて製作された再生加工品を提供する方法を用いることによって、ユーザは使用済み携帯端末機器にどのような金属材料が用いられているかなどのリサイクルに関連する情報を入手することができるからである。また、リサイクルの進捗状況をユーザに知らせることによってリサイクルに対する知識を深めることができるからである。
【００５７】
そして、このようなリサイクルシステムを採用することによって、ユーザは利用価値の高い再生加工品を入手することができ、携帯端末機器を販売する販売業者は回収率を高めると共に買い換えを促進することができ、携帯端末機器の分別・解体、金属材料の回収、加工用原料の製造、再生加工品の製作等を行うリサイクル業者は処理数を増加させることができ、これらの全てに利益をもたらすことによってリサイクルシステムの利用促進を図り、循環型社会の構築に貢献することができる。
【図面の簡単な説明】
【図１】本発明の第１の実施例に係る使用済み携帯端末機器のリサイクルシステムの構成を模式的に示す図である。
【図２】本発明の第１の実施例に係る使用済み携帯端末機器のリサイクル手順を示すフローチャート図である。
【図３】本発明の第１の実施例に係るリサイクルシステムで製作される再生加工品の構成例を示す図である。
【図４】本発明の第１の実施例に係るリサイクルシステムで利用されるデータの構成例を示す図である。
【図５】本発明の第２の実施例に係る使用済み携帯端末機器のリサイクルシステムの構成を模式的に示す図である。
【図６】本発明の第２の実施例に係る使用済み携帯端末機器のリサイクル手順を示すフローチャート図である。
【符号の説明】
１  リサイクルシステム
２  ユーザ
３  営業拠点
４  リサイクル拠点
４ａ  解体拠点
４ｂ  金属材料回収拠点
４ｃ  加工拠点
５  使用済み携帯端末機器
６  再生加工品
６ａ  栞
７  管理サーバ
８  通信ネットワーク
【図１】
2004341681.tif 000003
【図２】
2004341681.tif 000004
【図３】
2004341681.tif 000005
【図４】
2004341681.tif 000006
【図５】
2004341681.tif 000007
【図６】
2004341681.tif 000008